(57)【要約】      （修正有）【課題】仮囲い板として利用する場合に隣接する防音パネル間に隙間が生じず、またパネル破損時の不経済性を回避する、防音パネル・仮囲い板両方の用途で使用可能な防音パネルを提供する。【解決手段】軽金属材料により四角枠状に形成された枠体２０，３０，４０の内周にパネル本体１３を嵌め込むと共に、枠体の長辺側を形成する枠材の両端部付近に孔部を設けることで成る防音パネルにおいて、枠体の各辺を構成する枠材を別個体とすると共に、枠体の後面側に係止辺部を設けた。【選択図】図１
2010163782.tif 000002
【特許請求の範囲】
【請求項１】
軽金属材料により四角枠状に形成された枠体の内周にパネル本体を嵌め込むと共に、枠体の長辺側を形成する枠材の両端部付近に孔部を設けて成る防音パネルにおいて、枠体の各辺を構成する枠材を別個体とすると共に、枠体の後面側に係止辺部を設けた防音パネル。
【請求項２】
枠体の長辺側を構成する枠材の一方に外周側に向かって延設した目隠し部を設けた請求項１記載の防音パネル。
【請求項３】
枠体の短辺を構成する両枠材の中間位置に、両側辺に溝開口部を設けた中間枠材を介在させた請求項１又は請求項２に記載の防音パネル。
【発明の詳細な説明】
【技術分野】
【０００１】
本発明は、建設現場等において設置される防音パネルに関し、より詳しくは仮囲い板としても使用可能な防音パネルに関する。
【背景技術】
【０００２】
建造物の建築や改装・補修等行う際に、作業者の作業空間や歩行空間の確保、建設資材の運搬等のために仮設の足場が設置される。この足場の外側には、建設現場周辺に対する騒音防止，作業者や建設資材の落下防止、建設現場の外観の向上を図るために図２６に示すように防音パネル１０が隙間が生じない形態で多数枚取り付けられることが多い。
【０００３】
上記防音パネルは、使用時に建設現場に運搬され、取付金具を用いて足場の外側に装着することで防音壁となし、一方、建物の改装工事等が終了した後は、足場から取り外され、積み重ねた状態で次の使用まで保管される、といった態様での設置・撤去が繰り返される。
【０００４】
従来この種の防音パネルとして、パネル本体の外周に亘り枠体を設け強度を持たせるものが知られている（例えば、特許文献１、２参照）。
【０００５】
一方、建築現場や資材置き場等では、部外者の立ち入りや、通行人あるいは隣接物に対する損傷等を防止するため、図２８に示すようにその周囲に多数の仮囲い板を配列して工事を行っている。より具体的には単管パイプで支持枠組１を設け、この支持枠組１を構成する横枠１ａに仮囲い板２を、フック等の取り付け金具３で固定するのが一般的である。この仮囲い板は図２９に示すように平板状の本体部４の一方側部に凸部５ａを有する枠材５を設け、他方側部に凹部５ｂを有する枠材５を設けることで、並設した際に凸部５ａと凹部５ｂが嵌り、ずれないようになされることが多い（例えば特許文献３参照）。
【特許文献１】特開２００８−１３３７２２号公報
【特許文献２】特開２００８−１６３６５６号公報
【特許文献３】特開２００６−２４９９１１号公報
【発明の開示】
【発明が解決しようとする課題】
【０００６】
１、  防音パネルの足場への取り付け方法は、図２７に示すように隣接するパネル本体６の側部に設けられた両枠体７・７に存する両孔部７ａ・７ａに亘り、足場パイプ８に取り付けられたクランプ９のピン９ａを嵌め込むことで行うものである。
【０００７】
一方、仮囲い板の支持枠組への取り付け方法は、図２９に示すように横枠１aと隣接する仮囲い板の両枠材５・５に設けた両係止辺部５ｃ・５ｃとにわたり、Ｕフック等の取付金具３を介在させて行うものである。
【０００８】
かように防音パネルと仮囲い板とでは、支持する足場や枠組みへの取り付け方法が異なることから、防音パネルを仮囲い板として利用したり、反対に仮囲い板を防音パネルとして利用することは出来なかった。
【０００９】
そこで本発明の一の目的は、防音パネル・仮囲い板両方の用途で使用可能な防音パネルを提供することにある。
【００１０】
２、  防音パネルを仮囲い板として利用する場合、通常は長辺側を縦方向にする形態で並設することになる。この場合、隣接する防音パネル（仮囲い板）の間に若干の隙間が生じることになり、美観が損なわれてしまう。
【００１１】
そこで本発明の他の目的は、仮囲い板として利用する場合でも前記隙間が生じない防音パネルを提供することにある。
【００１２】
３、  従来の防音パネルは、パネル本体の外周に亘り設けられる枠体が一体のものであることが多かった。かように、枠体が一体であると、枠体の一部が破損した際、枠体全体を交換する必要があり不経済であった。又、本体パネルが破損するとひとつの防音パネルを構成するパネル本体全体を交換する必要があり不経済であった。
【００１３】
そこで本発明の更なる目的は、破損時の前記不経済性を回避することにある。
【課題を解決するための手段】
【００１４】
上記課題を解決するために本発明は以下のように構成した。
【００１５】
請求項１：軽金属材料により四角枠状に形成された枠体の内周にパネル本体を嵌め込              むと共に、枠体の長辺側を形成する枠材の両端部付近に孔部を設けること              で成る防音パネルにおいて、枠体の各辺を構成する枠材を別個体とすると              共に、枠体の後面側に係止辺部を設けた。
【００１６】
請求項２：請求項１記載の防音パネルにおいて、枠体の長辺側を構成する枠材の一方              に外周側に向かって延設した目隠し部を設けた。
【００１７】
請求項３：請求項１又は請求項２記載の防音パネルにおいて、枠体の短辺を構成する              両枠材の中間位置に、両側辺に溝開口部を設けた中間枠材を介在させた。
【発明の効果】
【００１８】
以下、上述のように構成される本発明が如何に作用して課題を解決する効果を有するかを述べる。
【００１９】
図１は本発明の一実施例に係る正面図であり、図２は同じく背面図、図３は同じく左側面図、図４は同じく右側面図、図５は同じく平面図、図６は図１におけるＡ−Ａ線断面図、図７は図１におけるＢ−Ｂ線断面図、図８は図６におけるＣ−Ｃ部分拡大図、図９は図６におけるＤ−Ｄ部分拡大図、図１０は図７におけるＦ−Ｆ部分拡大図、図１１は図７におけるＥ−Ｅ部分拡大図、図１２は枠体の係合状態を示す拡大断面図、図１３は本発明の他の実施例に係る正面図、図１４は同じく背面図、図１５は同じく右側面図、図１６は同じく平面図、図１７は同じく底面図、図１８は図１３におけるＧ−Ｇ線断面図、図１９は図１８におけるＩ−Ｉ部分拡大図、図２０は図１８におけるＪ−Ｊ部分拡大図、図２１は図１３におけるＨ−Ｈ線断面図、図２２は図２１におけるＫ−Ｋ部分拡大図である。尚、図１、図２及び図３における省略部分は図面上１７０ｍｍであり、図１３、図１４及び図１７における省略部分は図面上７０ｍｍである。
【００２０】
本発明に係る防音パネルは、従来の防音パネルと同様枠体の長辺側を形成する枠材２０，３０，５０，６０に、それぞれ孔部２２，３２，５２，６２がその両端部付近に設けられている。故に当該孔部２２，３２，５２，６２にクランプ９のピン９ａをはめ込むことで足場への取り付けが可能となるのである。
【００２１】
一方、本発明に係る防音パネルを仮囲い板として利用する方法は以下のようなものである。
【００２２】
図６乃至図１２及び図１８乃至図２０に示すように本発明に係る防音パネルを構成する枠材２０，３０，４０，５０，６０には、いずれも内周側に延設し端部を前面側に屈曲した係止辺部２１，３１，４１，５１，６１が設けられている。かように係止辺部２１，３１，４１，５１，６１が設けてあることから、図２９に示すされるようなＵフックあるいはＶフックといった、仮囲い板を支持枠組みに取り付けるために用いられる取付金具３の両端部を、当該係止辺部２１，３１，４１，５１，６１に引っ掛けることで、支持枠組みへ取り付けることが可能となるのである。すなわち本発明に係る防音パネルは仮囲い板としても利用が可能となるのである。
【００２３】
かように本発明に係る防音パネルを仮囲い板として利用する場合、図２８に示される通常の仮囲い板の場合と同様に、長辺側が縦方向に来る形態で設置される。この場合、隣接する防音パネル（仮囲い板）の間に生じる隙間を隠すために、請求項２記載の防音パネルにおいては、枠体の長辺側を構成する枠材の一方に外周側に向かって目隠し部２７，５４が設けられている。この目隠し部２７，５４により、図１２に示すように隣接部に隙間Ｓが生じたとしても、前面側（図中左側）からは当該隙間が見えることはないのである。
【００２４】
又、本発明に係る防音パネルにおいては、枠体の各辺を構成する枠材を別個体としてある。これにより枠体の一部が破損しても当該破損部位を形成する枠材のみを交換すれば足り、不経済性を解消できるものである。
【００２５】
請求項３記載の防音パネル１２においては図１３に示すように枠体の短辺を構成する両枠材７０，７０の中間位置に、両側辺に溝開口部７１，７１を設けた中間枠材７０を介在させた。図２３に示すようにこの溝開口部７１，７１にパネル本体１４，１４が嵌り込む形態で防音パネルは形成されることになる。かように構成されるがゆえに、本体パネル１４，１４のうち一方が破損したとしても、当該破損したパネル本体１４を交換すればよく、つまり本体パネル全体を交換する必要はなく経済性に優れたものとなるのである。
【発明を実施するための最良の形態】
【００２６】
次にこの発明を具体化した第１実施形態を、図１乃至図１１に基づいて概説する。
【００２７】
図１はこの実施形態に係る防音パネル１１を示している。防音パネル１１はパネル本体１３の四周を枠材２０，３０，４０で構成される枠体で囲んで形成されるものである。パネル本体１１は樹脂材を成形して板状体となしたものである。枠体２０，３０，４０はアルミニウム合金等の軽金属材料を押出成形により製作したものである。
【００２８】
防音パネル１１の図１における右辺を構成する枠材２０の形態を、図４、図７及び図１１を用いて詳述する。図７、図１１に示すように枠材２０はパネル本体１３の周縁部を挿入する溝開口部２４が前面に存し、その後面に角筒状の補強枠部２５が設けてある。補強枠部２５の後面には外周側に張出した張出し部２３が設けられ、該張出し部２３の外周側端部は後方に延設され、外枠部２６が形成される。張出し部２３の外周側端部は更に外周側に向かって延設され目隠し部２７が形成される。外枠部２６の後端は内周側に延設され端部を前面側に屈曲した係止辺部２１が形成される。図４に示すように外枠部２６の上下端部付近には、クランプのピン部を嵌め込むための孔部２２・２２が設けられている。
【００２９】
防音パネル１１の図１における左辺を構成する枠材３０の形態を、図３、図７及び図１０を用いて詳述する。図７、図１０に示すように枠材３０はパネル本体１３の周縁部を挿入する溝開口部３３が前面に存し、その後面に角筒状の補強枠部３４が設けてある。補強枠部３４の後面には外周側に張出した張出し部３５が設けられ、該張出し部３５の外周側端部は後方に延設され、外枠部３６が形成される。外枠部３６の後端は内周側に延設され端部を前面側に屈曲した係止辺部３１が形成される。図３に示すように外枠部３６の上下端部付近には、クランプのピン部を嵌め込むための孔部３２・３２が設けられている。
【００３０】
防音パネル１１の図１における上辺及び下辺を構成する枠材４０の形態を図５、図６、図８及び図９を用いて詳述する。図６、図８、図９に示すように枠材４０はパネル本体１３の周縁部を挿入する溝開口部４２が前面に存し、その後面に角筒状の補強枠部４３が設けてある。補強枠部４３の後面には外周側に張出した張出し部４４が設けられ、該張出し部４４の外周側端部は後方に延設され、外枠部４５が形成される。外枠部４５の後端は内周側に延設され端部を前面側に屈曲した係止辺部４１が形成される。
【００３１】
枠材２０，３０，４０はそれぞれ両端縁部が略４５度にカットされており、カット面を接合した状態でＬ型のコーナー金具（不図示）を用いてネジ着され固定されるものである。
【００３２】
続いて本発明を具体化した第２実施形態（請求項３記載の防音パネル）を、図１３乃至図２５に基づいて概説する。
【００３３】
図１３はこの実施形態に係る防音パネル１２を示している。防音パネル１２はパネル本体１４，１４の四周を枠材５０，６０，７０で構成される枠体で囲んで形成されるものである。パネル本体１４は樹脂材を成形して板状体となしたものである。枠材５０，６０，７０はアルミニウム合金等の軽金属材料を押出成形により製作したものである。
【００３４】
防音パネル１２の図１３における上辺を構成する枠材５０の形態を図１６、図１８及び図１９を用いて詳述する。図１８、図１９に示すように枠材５０はパネル本体１４の周縁部を挿入する溝開口部５５が前面に存し、その後面に角筒状の補強枠部５６が設けてある。補強枠部５６の後面には外周側に張出した張出し部５３が設けられ、該張出し部５３の外周側端部は後方に延設され、外枠部５７が形成される。張出し部５３の外周側端部は更に外周側に向かって延設され目隠し部５４が形成される。外枠部５７の後端は内周側に延設され端部を前面側に屈曲した係止辺部５１が形成される。図１６に示すように外枠部５７の左右端部付近には、クランプのピン部を嵌め込むための孔部５２・５２が設けられている。
【００３５】
防音パネル１２の図１３における下辺を構成する枠材６０の形態を、図１７、図１８及び図２０を用いて詳述する。図１８、図２０に示すように枠材６０はパネル本体１４の周縁部を挿入する溝開口部６３が前面に存し、その後面に角筒状の補強枠部６４が設けてある。補強枠部６４の後面には外周側に張出した張出し部６５が設けられ、該張出し部６５の外周側端部は後方に延設され、外枠部６６が形成される。外枠部６６の後端は内周側に延設され端部を前面側に屈曲した係止辺部６１が形成される。図１７に示すように外枠部６６の左右端部付近には、クランプのピン部を嵌め込むための孔部６２・６２が設けられている。
【００３６】
防音パネル１２の図１３における左右辺を構成すると共に中間部に介在される枠材７０の形態を、図２１、図２２及び図２３を用いて詳述する。図２３に示すように枠体７０はパネル本体１４の周縁部を挿入する溝開口部７１・７１が前面の左右に存し、その後面に角筒状の補強枠部７２・７２が左右に設けてある。両補強枠部７２・７２の中間位置にはネジをはめ込むための孔部７３が設けてある。図１３における左右辺を構成する枠材７０Ｌ・７０Ｒは内周側の溝開口部７１のみにパネル本体１４が嵌め込まれており、中間位置に介在させてある中間枠材７０Ｃは両溝開口部７１・７１共にパネル本体１４が嵌め込まれている。
【００３７】
枠材５０と枠材７０、及び枠材６０と枠材７０との固定方法はネジ着による。具体的には枠材５０、枠材６０の外周側から、孔部７３に嵌る形状でネジを打ち込み、固定するものである。
【図面の簡単な説明】
【００３８】
【図１】本発明の一実施例に係る正面図。
【図２】同じく背面図。
【図３】同じく左側面図。
【図４】同じく右側面図。
【図５】同じく平面図。
【図６】図１におけるＡ−Ａ線断面図。
【図７】図１におけるＢ−Ｂ線断面図。
【図８】図６におけるＣ−Ｃ部分拡大図。
【図９】図６におけるＤ−Ｄ部分拡大図。
【図１０】図７におけるＦ−Ｆ部分拡大図。
【図１１】図７におけるＥ−Ｅ部分拡大図。
【図１２】枠体の係合状態を示す拡大断面図。
【図１３】本発明の他の実施例に係る正面図。
【図１４】同じく背面図。
【図１５】同じく右側面図。
【図１６】同じく平面図。
【図１７】同じく底面図。
【図１８】図１３におけるＧ−Ｇ線断面図。
【図１９】図１８におけるＩ−Ｉ部分拡大図。
【図２０】図１８におけるＪ−Ｊ部分拡大図。
【図２１】図１３におけるＨ−Ｈ線断面図。
【図２２】図２１におけるＫ−Ｋ部分拡大図。
【図２３】図２１におけるＮ−Ｎ部分拡大図。
【図２４】図１５におけるＬ−Ｌ部分拡大図。
【図２５】図１５におけるＭ−Ｍ部分拡大図。
【図２６】設置された防音パネルを示す斜視図。
【図２７】従来の防音パネルの取り付け状態を示す説明図。
【図２８】従来の仮囲い板の設置状態を示す説明図。
【図２９】従来の仮囲い板の取り付け状態を示す説明図。
【符号の説明】
【００３９】
１３，１４・・パネル本体
２０，３０，４０，５０，６０，７０・・枠材
２１，３１，４１，５１，６１・・係止辺部
２７，５４・・目隠し部
２４，３３，４２，５５，６３，７１・・溝開口部
【図１】
2010163782.tif 000003
【図２】
2010163782.tif 000004
【図３】
2010163782.tif 000005
【図４】
2010163782.tif 000006
【図５】
2010163782.tif 000007
【図６】
2010163782.tif 000008
【図７】
2010163782.tif 000009
【図８】
2010163782.tif 000010
【図９】
2010163782.tif 000011
【図１０】
2010163782.tif 000012
【図１１】
2010163782.tif 000013
【図１２】
2010163782.tif 000014
【図１３】
2010163782.tif 000015
【図１４】
2010163782.tif 000016
【図１５】
2010163782.tif 000017
【図１６】
2010163782.tif 000018
【図１７】
2010163782.tif 000019
【図１８】
2010163782.tif 000020
【図１９】
2010163782.tif 000021
【図２０】
2010163782.tif 000022
【図２１】
2010163782.tif 000023
【図２２】
2010163782.tif 000024
【図２３】
2010163782.tif 000025
【図２４】
2010163782.tif 000026
【図２５】
2010163782.tif 000027
【図２６】
2010163782.tif 000028
【図２７】
2010163782.tif 000029
【図２８】
2010163782.tif 000030
【図２９】
2010163782.tif 000031